(57)【要約】【課題】  入射光の四方八方の拡散が可能になって、暗領域部分がなくなり、この暗領域部分であった部分の使用が可能になって小型化が可能になる導光部材を提供する。【解決手段】  光を出射する出射面６と光を入射する光入射面２が面交差する構成を有する導光部材本体３Ａを備えた導光部材３に於いて、光入射面２に、入射光を導光部材本体２Ａの内部に向けて立体的に拡散させる光拡散手段として、光入射面２から突出する多数の多角錐形状の凸部１２を設けたものである。【選択図】  図２
2005285702.tif 000002
【特許請求の範囲】
【請求項１】
光を出射する出射面と前記光を入射する光入射面が面交差する構成を有する導光部材本体を備えた導光部材に於いて、
前記光入射面に、入射光を前記導光部材本体の内部に向けて立体的に拡散させる光拡散手段を設けたことを特徴とする導光部材。
【請求項２】
前記光拡散手段が、前記光入射面から突出する多数の多角錐形状の凸部で構成してあることを特徴とする請求項１に記載の導光部材。
【請求項３】
前記光拡散手段が、前記光入射面から突出する多数の円錐形状の凸部で構成してあることを特徴とする請求項１に記載の導光部材。
【請求項４】
前記光拡散手段が、前記光入射面から前記導光部材本体の内部に向かって先細りとなる多数の多角錐形状の凹部で構成してあることを特徴とする請求項１に記載の導光部材。
【請求項５】
前記光拡散手段が、前記光入射面から前記導光部材本体の内部に向かって先細りとなる多数の円錐形状の凹部で構成してあることを特徴とする請求項１に記載の導光部材。
【請求項６】
前記多角錐形状が四角錐であることを特徴とする請求項２又は請求項４に記載の導光部材。
【請求項７】
四角錐の１面が前記出射面に対向して配設されることを特徴とする請求項６に記載の導光部材。
【請求項８】
光を出射する出射面と前記光を入射する光入射面が面交差する構成を有する導光部材と光入射面側に配設された光源とを有する照明装置に於いて、
前記光入射面に、前記光源の入射光を前記導光部材の内部に向けて立体的に拡散させる光拡散手段を設けたことを特徴とする照明装置。
【請求項９】
前記光拡散手段が、前記光入射面から突出する多数の多角錐形状の凸部で構成してあることを特徴とする請求項８に記載の照明装置。
【請求項１０】
前記光拡散手段が、前記光入射面から突出する多数の円錐形状の凸部で構成してあることを特徴とする請求項８に記載の照明装置。
【請求項１１】
前記光拡散手段が、前記光入射面から前記導光部材本体の内部に向かって先細りとなる多数の多角錐形状の凹部で構成してあることを特徴とする請求項８に記載の照明装置。
【請求項１２】
前記光拡散手段が、前記光入射面から前記導光部材本体の内部に向かって先細りとなる多数の円錐形状の凹部で構成してあることを特徴とする請求項８に記載の照明装置。
【請求項１３】
前記多角錐形状が四角錐であることを特徴とする請求項９又は請求項１１に記載の照明装置。
【請求項１４】
前記四角錐の１面が前記出射面に対向して配設されることを特徴とする請求項１３に記載の照明装置。
【発明の詳細な説明】
【技術分野】
【０００１】
本発明は、照明装置に関するものであり、例えば携帯電話や携帯情報機器やパソコンや液晶テレビジョン受像機に用いられる。液晶表示装置の照明装置であるバックライト装置等に使用される導光部材及びそれを用いた照明装置に関する。
【背景技術】
【０００２】
この種の導光部材は光入射面に沿って配設された光源となる蛍光管やＬＥＤよりなる光源からの光を導光及び拡散させて、広い面積の光出射面から均一に出光させるもので、広い表示面を均一に照明する面型照明体の面光源として広く利用され、広告灯等の表示は勿論、近年は液晶表示装置のバックライト装置として広く利用されているものである。
【０００３】
最近では、液晶表示装置の狭額縁化のために、図１３に示すように、蛍光管の一種である冷陰極管２０の全長を短くして導光部材２１の光入射面２２の一端又は両端に冷陰極管２０の電極部２０Ａが入り込んだ状態のものが設計されている。本発明では冷陰極管以外の蛍光管を用いても良い。
【０００４】
そのために、いかに反射面２３の白色印刷ドットやシボリドットあるいはプリズムドットあるいは凹凸の反射処理の密度を調整しても電極部２０Ａ側の光入射面２２の一端又は図１３のハッチングで示すように両端近傍が暗くなってしまい、要求されている出光画面の輝度ムラである高均斉度を達成することが出来ないという問題が発生した。図１３において光入射面２２の端近傍部分の暗部を２４のハッチングで示す。
【０００５】
そこで、無駄のない導光部材の光学的利用と狭額縁化とこれに相反する高輝度・高均斉度・輝度ムラのない画面の両立を達成することを目的に、図１４に示す導光部材及びそれを用いた照明装置が提案されている。
【０００６】
この従来の導光部材３０は、その表面が光出射面３１であり、その裏面が反射面であり、その一側端面が光入射面３３であり、他の面が反射側端面３４、３５、３６になっており、光入射面３３から内部に入射された光のうち、光出射面３１の平面に平行な方向に光の散乱を強化する光散乱手段を光入射面３３に形成していて、光源３７から入射された光を光散乱手段で散乱させ、光出射面３１から出光するものである。
【０００７】
この場合は、光入射面３３のみに光散乱手段が形成されており、光出射面３１、反射面３２、反射側端面３４、３５、３６は平坦面である。導光部材３０の光入射面３３に形成されている光散乱手段は光入射面３３が平坦な場合と比較して光入射面３３に入射した光を光出射面３１と平行な方向に積極的に散乱させるという機能を有しており、光散乱手段は、図１４において導光部材３０の厚さ方向に沿う断面三角形状の凸条３８と凹条３９とを導光部材３０の幅方向に繰り返し形成した縦ストライプ形状のプリズムで構成してある。なお、４０は光の指向性を制御するプリズムシートや光拡散させるためのシートよりなるシートであり、このシートの上に表示パネル、例えば液晶パネル、が配設される。（例えば、特許文献１参照）。
【０００８】
【特許文献１】特開平９−１１３９０７号公報
【発明の開示】
【発明が解決しようとする課題】
【０００９】
しかし、上記した従来の導光部材３０にあっては、光入射面３３に設けられた光散乱手段は、導光部材３０の厚さ方向を出射面３１に平行に切断した時の断面が三角形状の凸条３８と凹条３９とを導光部材３０の幅方向に繰り返し形成した縦ストライプ形状のプリズムをなしていて、光入射面３３が平らな場合と比較して光入射面３３に入射した光を光出射面３１と平行な方向に積極的に光を拡散させているために、導光部材３０の厚み方向の光の利用が効率良くなされておらず、主に光が直進して光源近傍の導光部材の上下が手元暗がりとなり、光源手元の暗がりがこの部分を照明するための部分として使えず導光部材３０の小型化を妨げている。
【００１０】
また、従来の照明装置として、光源に複数の発光ダイオードＬＥＤを用いたものがあるが、発光ダイオードＬＥＤの光拡散あるいは配光特性ならびに空気と導光部材との屈折率差により、導光部材への入射光がそれほど広がりを持っていないために、隣り合う発光ダイオードＬＥＤと発光ダイオードＬＥＤとの間や発光ダイオードＬＥＤと導光部材３０の側面及び側面近傍は、入射光が十分に広がるまでの領域が暗くなってしまっていると同時に、垂直方向でも同様に入射角でカバーできない領域部分はプリズムにも当たらず、光が出射されないため図１３の暗部２４と同様に暗領域となってしまっており、この暗領域部分は、液晶パネルを照明するために使用することができないため、導光部材３０の小型化を妨げるという問題点が生じていた。
【００１１】
本発明は、上記した従来の問題点を改善するためになされたもので、その第１の目的とするところは、入射光の四方八方の拡散が可能になって、図１３の暗部２４に光がゆきわたり暗領域部分がなくなり、この暗領域部分であった部分の使用が可能になって小型化が可能になる導光部材を提供することである。
【００１２】
また、本発明の第２の目的とするところは、入射光の四方八方、特に導光板の厚み方向の拡散が可能になって、暗領域部分がなくなり、この暗領域部分であった部分の使用が可能になって小型化が可能になる照明装置を提供することである。
【課題を解決するための手段】
【００１３】
上記の第１の目的を達成するために、本発明に係る導光部材は、光を出射する出射面と光を入射する光入射面が面交差する構成を有する導光部材本体を備えた導光部材に於いて、光入射面に、入射光を導光部材本体の内部に向けて立体的に拡散させる光拡散手段を設けるようにしたものである。
【００１４】
かかる構成により、光入射面に立体的に光を拡散させる光拡散手段を設けることで、入射光の水平方向、垂直方向の拡散は言うに及ばず、入射光の四方八方の拡散が可能になる。
【００１５】
このために、導光部材本体に入射した光が出射するまでの助走距離を短縮することができることに加えて、全体輝度の上昇をもたらすことができる。従来無駄になっていた光源から導光部材本体への垂直入射の成分が、光拡散手段によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる。
【００１６】
また、本発明に係る導光部材は、上記した本発明に係る導光部材において、光拡散手段が、光入射面から突出する多数の多角錐形状の凸部で構成してある。
【００１７】
かかる構成により、光入射面に多数の多角錐形状の凸部を設けることで、入射光の水平方向、垂直方向の拡散は言うに及ばず、入射光の四方八方の拡散が可能になる。
【００１８】
このために、導光部材本体に入射した光が出射するまでの助走距離を短縮することができることに加えて、全体輝度の上昇をもたらすことができる。従来無駄になっていた光源から導光部材本体への垂直入射の成分が、多数の多角錐形状の凸部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる。
【００１９】
また、本発明に係る導光部材は、上記した本発明に係る導光部材において、光拡散手段が、光入射面から突出する多数の円錐形状の凸部で構成したものである。
【００２０】
かかる構成により、光入射面に多数の円錐形状の凸部を設けることで、入射光の水平方向、垂直方向の拡散は言うに及ばず、入射光の四方八方の拡散が可能になる。
【００２１】
このために、導光部材本体に入射した光が出射するまでの助走距離を短縮することができることに加えて、全体輝度の上昇をもたらすことができる。従来無駄になっていた光源から導光部材本体への垂直入射の成分が、多数の円錐形状の凸部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる。
【００２２】
また、本発明に係る導光部材は、上記した本発明に係る導光部材において、光拡散手段が、光入射面から導光部材本体の内部に向かって先細りとなる多数の多角錐形状の凹部である。
【００２３】
かかる構成により、光入射面に多数の多角錐形状の凹部を設けることで、入射光の水平方向、垂直方向の拡散は言うに及ばず、入射光の四方八方の拡散が可能になる。
【００２４】
このために、導光部材本体に入射した光が出射するまでの助走距離を短縮することができることに加えて、全体輝度の上昇をもたらすことができる。従来無駄になっていた光源から導光部材本体への垂直入射の成分が、多数の多角錐形状の凹部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる。
【００２５】
また、本発明に係る導光部材は、上記した本発明に係る導光部材において、光拡散手段が、光入射面から導光部材本体の内部に向かって先細りとなる多数の円錐形状の凹部で構成してある。
【００２６】
かかる構成により、光入射面に多数の円錐形状の凹部を設けることで、入射光の水平方向、垂直方向の拡散は言うに及ばず、入射光の四方八方の拡散が可能になる。
【００２７】
このために、導光部材本体に入射した光が出射するまでの助走距離を短縮することができることに加えて、全体輝度の上昇をもたらすことができる。従来無駄になっていた光源から導光部材本体への垂直入射の成分が、多数の円錐錐形状の凹部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる
。
【００２８】
また、本発明に係る導光部材は、上記した本発明に係る導光部材において、多角錐形状が四角錐である。
【００２９】
かかる構成により、凸部（凹部）が四角錐形状であるために、入射光の水平方向、垂直方向の拡散は言うに及ばず、入射光の四方八方の拡散が可能になる。
【００３０】
このために、導光部材本体に入射した光が出射するまでの助走距離を短縮することができることに加えて、全体輝度の上昇をもたらすことができる。従来無駄になっていた光源から導光部材本体への垂直入射の成分が、四角推形状の凸部（凹部）によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる。
【００３１】
また、本発明に係る導光部材は、上記した本発明に係る導光部材において、四角錐の１面が出射面に対向して配設される。
【００３２】
かかる構成により、光源に近い部分の手元の導光部材本体の厚さ（上方向）に光を強く拡散でき、手元が特に明るくなる。
【００３３】
また、上記した本発明の第２の目的を達成するために、本発明に係る照明装置は、光を出射する出射面と光を入射する光入射面が面交差する構成を有する導光部材と光入射面側に配設された光源とを有する照明装置に於いて、導光部材の光入射面に、光源からの入射光を導光部材の内部に向けて立体的に拡散させる光拡散手段を設けたものである。
【００３４】
かかる構成により、光入射面に立体的に光を拡散させる光拡散手段を設けることで、入射光の水平方向、垂直方向の拡散は言うに及ばず、入射光の四方八方の拡散が可能になる。
【００３５】
このために、導光部材に入射した光が出射するまでの助走距離を短縮することができることに加えて、全体輝度の上昇をもたらすことができる。従来無駄になっていた光源から導光部材への垂直入射の成分が、光拡散手段によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になり、照明装置の小型化が可能になる。
【００３６】
また、本発明に係る照明装置は、上記した本発明に係る照明装置において、光拡散手段が、光入射面から突出する多数の多角錐形状の凸部で構成してある。
【００３７】
かかる構成により、光入射面に多数の多角錐形状の凸部を設けることで、入射光の水平方向、垂直方向の拡散は言うに及ばず、入射光の四方八方の拡散が可能になる。
【００３８】
このために、導光部材本体に入射した光が出射するまでの助走距離を短縮することができることに加えて、全体輝度の上昇をもたらすことができる。従来無駄になっていた光源から導光部材本体への垂直入射の成分が、多数の多角錐形状の凸部によって垂直方向に角度を付けられるために、この垂直入射の成分を利用することが可能になって光効率の上昇につながり、画面輝度の上昇をもたらすことができる。このために、暗領域部分がなくな
り、この暗領域部分であった部分の使用が可能になって、導光部材の小型化が可能になり、照明装置の小型化が可能になる。
また、本発明に係る照明装置は、上記した本発明に係る照明装置において、光拡散手段が、光入射面から突出する多数の円錐形状の凸部で構成したものである。
【００３９】
かかる構成により、光入射面に多数の円錐形状の凸部を設けることで、入射光の水平方向、垂直方向の拡散は言うに及ばず、入射光の四方八方の拡散が可能になる。
【００４０】
このために、導光部材本体に入射した光が出射するまでの助走距離を短縮することができることに加えて、全体輝度の上昇をもたらすことができる。従来無駄になっていた光源から導光部材本体への垂直入射の成分が、多数の円錐形状の凸部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になり、照明装置の小型化が可能になる。
【００４１】
また、本発明に係る照明装置は、上記した本発明に係る照明装置において、光拡散手段が、光拡散手段が、光入射面から導光部材の内部に向かって先細りとなる多数の多角錐形状の凹部である。
【００４２】
かかる構成により、光入射面に多数の多角錐形状の凹部を設けることで、入射光の水平方向、垂直方向の拡散は言うに及ばず、入射光の四方八方の拡散が可能になる。
【００４３】
このために、導光部材本体に入射した光が出射するまでの助走距離を短縮することができることに加えて、全体輝度の上昇をもたらすことができる。従来無駄になっていた光源から導光部材本体への垂直入射の成分が、多数の多角錐形状の凹部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になり、照明装置の小型化が可能になる。
【００４４】
また、本発明に係る照明装置は、上記した本発明に係る照明装置において、立体的に光拡散させる光拡散手段が、光入射面から導光部材本体の内部に向かって先細りとなる多数の円錐形状の凹部で構成してある。
【００４５】
かかる構成により、光入射面に多数の円錐形状の凹部を設けることで、入射光の水平方向、垂直方向の拡散は言うに及ばず、入射光の四方八方の拡散が可能になる。
【００４６】
このために、導光部材本体に入射した光が出射するまでの助走距離を短縮することができることに加えて、全体輝度の上昇をもたらすことができる。従来無駄になっていた光源から導光部材本体への垂直入射の成分が、多数の円錐錐形状の凹部によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になり、照明装置の小型化が可能になる。
【００４７】
また、本発明に係る照明装置は、上記した本発明に係る照明装置において、多角錐形状が四角錐である。
【００４８】
かかる構成により、凸部（凹部）が四角錐形状であるために、入射光の水平方向、垂直
方向の拡散は言うに及ばず、入射光の四方八方の拡散が可能になる。
【００４９】
このために、導光部材本体に入射した光が出射するまでの助走距離を短縮することができることに加えて、全体輝度の上昇をもたらすことができる。従来無駄になっていた光源から導光部材本体への垂直入射の成分が、四角推形状の凸部（凹部）によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になり、照明装置の小型化が可能になる。
【００５０】
また、本発明に係る照明装置は、上記した本発明に係る照明装置において、四角錐の１面が、出射面に対向して配設される。
【００５１】
かかる構成により、光源に近い部分の手元の導光部材本体の厚さ（上方向）に光を強く拡散でき、手元が特に明るくなる。
【発明の効果】
【００５２】
本発明に係る導光部材によれば、入射光の水平方向、垂直方向の拡散は言うに及ばず、入射光の四方八方及び導光板の厚み方向の拡散が可能になる。このために、導光部材本体に入射した光が出射するまでの助走距離を短縮することができることに加えて、全体輝度の上昇をもたらすことができる。光源から導光部材本体への垂直入射の成分が、光拡散手段によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になる。
【００５３】
また、本発明に係る照明装置によれば、入射光が導光板の水平方向、垂直方向に拡散することは言うに及ばず、入射光の四方八方の拡散が可能になる。このために、導光部材本体に入射した光が出射するまでの助走距離を短縮することができることに加えて、全体輝度の上昇をもたらすことができる。従来無駄になっていた光源から導光部材本体への垂直入射の成分が、光拡散手段によって垂直方向に角度を付けられるために、この垂直入射の成分を利用することが可能になって光効率の上昇につながり、画面輝度の上昇をもたらすことができる。このために、暗領域部分がなくなり、この暗領域部分であった部分の使用が可能になって、導光部材の小型化が可能になり、照明装置の小型化が可能になる。
【発明を実施するための最良の形態】
【００５４】
上記の第１の目的を達成するために、本発明に係る導光部材は、光を出射する出射面と光を入射する光入射面が面交差する構成を有する導光部材本体を備えた導光部材に於いて、光入射面に、入射光を導光部材本体の内部に向けて立体的に拡散させる光入射面から突出する多数の多角錐形状の凸部で構成光拡散手段を設けるようにしたものである。
かかる構成により、光入射面に立体的に光を拡散させる光拡散手段を設けることで、入射光の水平方向、垂直方向の拡散は言うに及ばず、入射光の四方八方の拡散が可能になる。
このために、導光部材本体に入射した光が出射するまでの助走距離を短縮することができることに加えて、全体輝度の上昇をもたらすことができる。従来導光板内で損失あるいは減衰が多く光り利用効率が悪かったところの、光源から導光部材本体への垂直入射の成分が、光拡散手段によって垂直方向に角度を付けられるために、この垂直入射の成分を利用することが可能になって光効率の上昇につながり、画面輝度の上昇をもたらすことがで
きる。このために、暗領域部分がなくなり、この暗領域部分であった部分の使用が可能になって、導光部材の小型化が可能になる。
以下、本発明の実施の形態を、図面を参照して詳述する。
【実施例】
【００５５】
本発明の実施の形態１を図１乃至図４に示す。図１は本発明の照明装置の一部省略した斜視図、図２は同照明装置の一部省略した側面図、図３は同照明装置の一部省略した正面図、図４は図１のＡ部の拡大図である。
【００５６】
導光部材３を用いた照明装置１は、図１に示すように、光入射面２から導入された光を導光するための板状の導光部材３と、光源４と、導光部材の下面に反射機能をもたせる反射処理あるいは反射板５とから構成してある。
【００５７】
導光部材３は、ポリカーボネイト樹脂やメタクリル樹脂などの透明で屈折率の大きな樹脂により形成された導光部材本体３Ａを有しており、この導光部材本体３Ａの表面が光出射面６であり、その裏面が反射面７であり、その一側端面が光入射面２であり、他の面が反射側端面８、９、１０であって、光出射面６は光入射面２と面交差している。そして、図２に示すように反射面７には、塗料のパターン化塗布や凹凸加工によって反射パターンや拡散パターン１１が形成してある。この反射面７がある時には、反射板５を設けなくても良い。
【００５８】
また、導光部材本体３Ａの光入射面２には、立体的に光を拡散させる光拡散手段としての、多数の四角錐形状の凸部（ピラミッド型のプリズム）１２が形成してある。これらの四角錐形状の凸部１２は、図４に示すように四つの傾斜面部１２Ａ、１２Ｂ、１２Ｃ、１２Ｄ（図２参照）を有していて、互いに対向する一方の組の傾斜面部１２Ａ、１２Ｃと、互いに対向する他方の組の傾斜面部１２Ｂ、１２Ｄとは直交している。
【００５９】
そして、四角錐形状の凸部１２は、その一方の対向する組の傾斜面部１２Ａ、１２Ｃを、導光部材３の幅方向（水平方向）（反射側端面８と、この反射側端面８に対向する反射側端面９との方向）に向け、また、他方の組の傾斜面部１２Ｂ、１２Ｄを導光部材３の厚み方向（垂直方向）（光出射面６とその裏面の反射面７との方向）に向けている。そして、四角錐形状の凸部１２は、図３に示すように、導光部材３の厚み方向及び幅方向にそれぞれに直線状に配置してある。この配置を千鳥状に配置したり、入射面の一部の領域のみに配置しても良い。
【００６０】
さらに凸部１２の配置について説明をする。
これまで実施例で図示した図では、例えば同じ大きさのピラミッド形状を同間隔できちんとしたが、隣り合う凸部と凸部の間あるいは隣り合う凹部と凹部との間に平坦面があっても良いが、無くても良い。平坦面の部位は拡散といった効果は何もなく通常入射し、プリズムのある部位では拡散されるので、この割合によっても導光部材に入射する光をどのように拡散させるかを調整できる。凸部あるいは凹部の配置場所は、ＬＥＤの入光側面全面に配置しても良いが、ＬＥＤの光源といったその前だけに集中して配置しても良いし、ＬＥＤ正面に一番密度が高いように置いても構わない。直線的に何段も配置するだけではなく、千鳥配置やデルタ配置、ＬＥＤ光源の中心を軸にして円形に配置していくなどの配置としても良い。
このことは、凸部、凹部共に言えることである。さらに以下の本発明の実施例においても言えることである。
【００６１】
また、凸部１２の四角錐を４５°回転させて菱形とした配置を図に記載したが、４５°
だけ回転させるのではなく０°〜９０°の範囲でどの方向に拡散を強くするかという設定に合わせて自由に設定できる。また、すべて凸部あるいは凹部の三角錐、四角錐などの多角錐の前記回転をそれぞれ変えても良い。すなわちすべての回転角度が一緒でなくても良く、ＬＥＤの中心は上下左右に強く拡散させるようにするが、中心から離れていくに連れて形状を回転させ斜め方向に拡散を強くするといったこととしても良い。
このことは、凸部、凹部共に言えることである。さらに以下の本発明の実施例においても言えることである。但し、円錐の凸部、凹部に関しては、回転させることによる変化はない。
【００６２】
凸部１２の形状についてみると、導光部材の入射面の凸部あるいは凹部の大きさは任意である。大きくても構わないが、小さいほうが良い。金型として切削加工できる程度であれば良い。例えば、円錐の底面の直径２μ〜１０μｍが良いが１００μｍ程度のオーダーで良い。
四角錐、ピラミッド、円錐の頂角の角度を変えることで、平行方向（左右）や垂直方向（上下）の広がり方を独立に制御できる。正四角錐や円錐及び四角錐や楕円錐であっても良い。形状すべてが同一である必要はなく、部位によっては四角錐であったり円錐であったりと異なっても良く、組み合わせても良い。
このことは、凸部、凹部共に言えることである。さらに以下の本発明の実施例においても言えることである。
【００６３】
また、光源４は、回路基板（図示せず）、例えばフレキシブル回路基板（ＦＰＣ）の上に複数（３個）の発光ダイオードＬＥＤ１、ＬＥＤ２、ＬＥＤ３を実装したものであって、発光ダイオードＬＥＤ１、ＬＥＤ２、ＬＥＤ３は光入射面２に対向して配設されている。
【００６４】
また、反射板５は、反射率の高い例えば白色樹脂シートによって形成されており、両面テープ（図示せず）によって両側部を導光部材３の裏面に貼り付けられている。
【００６５】
しかして、図２に示すように、光源４の各発光ダイオードＬＥＤ１、ＬＥＤ２、ＬＥＤ３から出射され光入射面２から導光部材３内部に入射した光は、四角錐形状の凸部１２に入射すると凸部１２の傾斜面部１２Ａ、１２Ｂ，１２Ｃ、１２Ｄに対応した方向で光が導光板内に拡散あるいは進行してゆく、例えば上下左右方向に拡散する。
【００６６】
すなわち、四角錐形状の凸部１２の一方の組の傾斜面部１２Ａ、１２Ｃにより入射光が水平方向に拡散されるし、他方の組の傾斜面部１２Ｂ、１２Ｄにより入射光が垂直方向に拡散される。この垂直方向に拡散された一方の光イは、図２に示すように、光出射面６で反射されて導光部材３内部に伝幡し、また、垂直方向に拡散された他方の光ロは反射面７の拡散パターン１１で反射されて導光部材３内部に伝幡して光出射面６から出射される。このために、光源４の発光ダイオードＬＥＤ１、ＬＥＤ３に近い部分の手元の光拡散が従来の場合より輝度が高くなり、手元が特に明るくなる。
【００６７】
このように、光入射面２に四角錐形状の凸部（ピラミッド型のプリズム）１２を形成させることで、入射光の水平方向の拡散に加えて、垂直方向の拡散を加えることができる。
【００６８】
これにより、導光部材３に入射した光が出射するまでの助走距離を短縮することができるため光量の損失を少なくできることに加えて、全体輝度の上昇をもたらすことができる。光源４から導光部材３への垂直入射の成分が四角錐形状の凸部１２によって垂直方向に角度を付けられるため利用することが可能になり、光効率の上昇につながり、画面輝度の上昇をもたらすようになる。このため、従来技術の図１３で示した暗領域部分がなくなり、この暗領域部分であった部分の使用が可能になって、導光部材の小型化が可能になり、
照明装置の小型化が可能になる。
【００６９】
なお、上記した本発明の実施の形態１では、四角錐形状の凸部１２を、図３に示すように、導光部材３の厚み方向及び幅方向にそれぞれに直線状に配置するようにしたが、図５に示すように、導光部材３の厚み方向でずらして配置するようにしてもよい。また、図示はしてないがＬＥＤに対向する入射面にだけ凸部１２を形成してもよく、このように部分的に凸部に形成しても良い。
【００７０】
また、上記した本発明の実施の形態１では、四角錐形状の凸部１２は、その一方の組の傾斜面部１２Ａ、１２Ｃを、導光部材３の幅方向に向け、また、他方の組の傾斜面部１２Ｂ、１２Ｄを導光部材３の厚み方向に向けるようにしたが、図６に示すように、四角錐形状の凸部１２を、四角錐形状で且つ凸型のダイヤ型にして、その一方の組の傾斜面部１２Ａ、１２Ｃを、導光部材３の幅方向に対して４５度傾けると共に、他方の組の傾斜面部１２Ｂ、１２Ｄを導光部材３の厚み方向に対して４５度傾けるようにしてもよい。この場合も、上記した本発明の実施の形態１と同様に、入射光の水平方向の拡散に加えて、垂直方向の拡散を加えることができる。
【００７１】
また、上記した本発明の実施の形態では、立体的に光拡散させる光拡散手段が、四角錐形状の凸部（ピラミッド型のプリズム）１２が形成してあるが、本発明にあっては、三角及び五角以上の多角錐形状の凸部であってもよい。
【００７２】
この場合には、入射光の水平方向、垂直方向の拡散は言うに及ばず、入射光の四方八方の拡散が可能になる。このために、導光部材本体３Ａに入射した光が出射するまでの助走距離を短縮することができることに加えて、全体輝度の上昇をもたらすことができて、導光部材３に暗領域部分がなくなり、この暗領域部分であった部分の使用が可能になって、導光部材３の小型化が可能になる。
【００７３】
また、本発明にあっては、図７及び図８に示すように、光拡散手段を、光入射面２から突出する多数の円錐形状の凸部１４で構成してもよい。
【００７４】
この場合も、入射光の水平方向、垂直方向の拡散は言うに及ばず、入射光の四方八方の拡散が可能になる。このために、導光部材本体３Ａに入射した光が出射するまでの助走距離を短縮することができることに加えて、全体輝度の上昇をもたらすことができて、導光部材３には暗領域部分がなくなり、この暗領域部分であった部分の使用が可能になって、導光部材３の小型化が可能になる。この凸部１４を第１の実施形態と同様に、上下複数行、列に配設したり、ＬＥＤに対向する部分に配設するように入射面の一部に配設しても良く、さらに図５、図６に示した凸部１２の配設パターンに配設しても良い。
【００７５】
また、本発明にあっては、図９及び図１０に示すように、光拡散手段を、光入射面２から導光部材本体３Ａの内部に向かって先細りとなる多数の四角（多角）錐形状の凹部１５で構成してもよい。
【００７６】
この場合も、入射光の水平方向、垂直方向の拡散は言うに及ばず、入射光の四方八方の拡散が可能になる。このために、導光部材本体３Ａに入射した光が出射するまでの助走距離を短縮することができることに加えて、全体輝度の上昇をもたらすことができて、導光部材３には暗領域部分がなくなり、この暗領域部分であった部分の使用が可能になって、導光部材３の小型化が可能になる。この凸部１４を第１の実施形態と同様に、上下複数行、列に配設したり、ＬＥＤに対向する部分に配設するように入射面の一部に配設しても良く、さらに図５、図６に示した凸部１２の配設パターンに配設しても良い。
【００７７】
また、本発明にあっては、図１１及び図１２に示すように、光拡散手段を、光入射面２から導光部材本体３Ａの内部に向かって先細りとなる多数の円錐形状の凹部１６で構成してもよい。
【００７８】
この場合も、入射光の水平方向、垂直方向の拡散は言うに及ばず、入射光の四方八方の拡散が可能になる。このために、導光部材本体３Ａに入射した光が出射するまでの助走距離を短縮することができることに加えて、全体輝度の上昇をもたらすことができて、導光部材３には暗領域部分がなくなり、この暗領域部分であった部分の使用が可能になって、導光部材３の小型化が可能になる。この凸部１４を第１の実施形態と同様に、上下複数行、列に配設したり、ＬＥＤに対向する部分に配設するように入射面の一部に配設しても良く、さらに図５、図６に示した凸部１２の配設パターンに配設しても良い。
【００７９】
また、上記した本発明の導光部材３を用いた照明装置にあっては、入射光の水平方向、垂直方向の拡散は言うに及ばず、入射光の四方八方の拡散が可能になる。このために、導光部材本体３Ａに入射した光が出射するまでの助走距離を短縮することができることに加えて、全体輝度の上昇をもたらすことができて、導光部材３には暗領域部分がなくなり、この暗領域部分であった部分の使用が可能になって、導光部材３の小型化が可能になり、照明装置の小型化が可能になる。
【産業上の利用可能性】
【００８０】
本発明は、入射光の水平方向、垂直方向の拡散は言うに及ばず、入射光の四方八方の拡散が可能になる。このために、導光部材本体３Ａに入射した光が出射するまでの助走距離を短縮することができることに加えて、全体輝度の上昇をもたらすことができて、暗領域部分がなくなり、この暗領域部分であった部分の使用が可能になって、導光部材の小型化が可能になるという効果を有し、広告灯等や、液晶表示装置のバックライト装置等に使用される導光部材及びそれを用いた照明装置に有用である。
【図面の簡単な説明】
【００８１】
【図１】本発明の照明装置の一部省略した斜視図である。
【図２】同照明装置の一部省略した側面図である。
【図３】同照明装置の一部省略した正面図である。
【図４】図１のＡ部の拡大図である。
【図５】本発明の照明装置において、多数の四角錐形状の凸部を導光部材の厚み方向でずらして配置するようにした一部省略した正面図である。
【図６】本発明の照明装置において、多数の四角錐形状の凸部が四角錐形状で且つ凸型のダイヤ型である場合の一部省略した正面図である。
【図７】光拡散手段を、光入射面から突出する多数の円錐形状の凸部で構成した場合の説明図である。
【図８】図７のＢ−Ｂ線に沿う断面図である。
【図９】光拡散手段を、光入射面から導光部材本体の内部に向かって先細りとなる多数の四角（多角）錐形状の凹部で構成した場合の説明図である。
【図１０】図９のＣ−Ｃ線に沿う断面図である。
【図１１】光拡散手段を、光入射面から導光部材本体の内部に向かって先細りとなる多数の円錐形状の凹部で構成した場合の説明図である。
【図１２】図１１のＤ−Ｄ線に沿う断面図である。
【図１３】従来の照明装置の一部省略した斜視図である。
【図１４】従来の他の照明装置の一部省略した斜視図である。
【符号の説明】
【００８２】
１            照明装置
２            光入射面
３            導光部材
３Ａ          導光部材本体
４            光源
５            反射板
６            光出射面
７            反射面
８、９、１０  反射側端面
１１          拡散パターン
１２          四角錐形状の凸部（ピラミッド型のプリズム）（光拡散手段）
１２Ａ、１２Ｂ、１２Ｃ、１２Ｄ  傾斜面部
１４          円錐形状の凸部（光拡散手段）
１５          四角（多角）錐形状の凹部（光拡散手段）
１６          円錐形状の凹部（光拡散手段）
【図１】
2005285702.tif 000003
【図２】
2005285702.tif 000004
【図３】
2005285702.tif 000005
【図４】
2005285702.tif 000006
【図５】
2005285702.tif 000007
【図６】
2005285702.tif 000008
【図７】
2005285702.tif 000009
【図８】
2005285702.tif 000010
【図９】
2005285702.tif 000011
【図１０】
2005285702.tif 000012
【図１１】
2005285702.tif 000013
【図１２】
2005285702.tif 000014
【図１３】
2005285702.tif 000015
【図１４】
2005285702.tif 000016